(57)【要約】【課題】被洗浄面に強い付着力にて汚れ等がこびり付いている場合であっても、汚れ等を迅速に剥離させて除去できると共に、被洗浄面である車体に傷を付けることが無く、高い洗浄性が発揮されると共に、洗浄時の接触音を低減できる洗車機用洗浄ブラシのブラシ片、及びそれを用いた洗車機用洗浄ブラシ、及びその洗車機用洗浄ブラシを搭載した洗車機を提供する。【解決手段】自動車あるいは車両の外面の被洗浄面に付着した汚れ等を洗浄する為の洗車機に使用する洗車機用洗浄ブラシのブラシ片において、前記ブラシ片は合成樹脂発泡体にて平板状にて形成されてあり、前記ブラシ片の少なくとも片面に被洗浄面にたいして斑点状に接触する複数の凸部が形成されてある構成としたものである。【選択図】図１
2007289600.tif 000002
【特許請求の範囲】
【請求項１】
自動車あるいは車両の外面の被洗浄面に付着した汚れ等を洗浄する為の洗車機に使用する洗車機用洗浄ブラシのブラシ片において、前記ブラシ片は合成樹脂発泡体にて平板状にて形成されてあり、前記ブラシ片の少なくとも片面に被洗浄面にたいして斑点状に接触する複数の凸部が形成されてあることを特徴とする洗車機用洗浄ブラシのブラシ片。
【請求項２】
請求項１記載の構成よりなる洗車機用洗浄ブラシのブラシ片において、前記ブラシ片は合成樹脂発泡体にて平板状にて形成されてあり、前記ブラシ片の少なくとも片面に被洗浄面にたいして筋状に接触する複数の凸部が形成されてあることを特徴とする洗車機用洗浄ブラシのブラシ片。
【請求項３】
請求項１から２記載の構成よりなる洗車機用洗浄ブラシのブラシ片において、前記ブラシ片は合成樹脂発泡体にて平板状にて形成されてあり、前記ブラシ片の少なくとも片面に被洗浄面にたいしてリング状に接触する複数の凸部が形成されてあることを特徴とする洗車機用洗浄ブラシのブラシ片。
【請求項４】
請求項１から３記載の構成よりなる洗車機用洗浄ブラシのブラシ片において、前記ブラシ片は合成樹脂発泡体にて平板状にて形成されてあり、前記ブラシ片の少なくとも片面に被洗浄面にたいして概波状に接触する複数の凸部が形成されてあることを特徴とする洗車機用洗浄ブラシのブラシ片。
【請求項５】
請求項１から４記載の構成よりなる洗車機用洗浄ブラシのブラシ片において、前記ブラシ片は合成樹脂発泡体にて平板状にて形成されてあり、前記ブラシ片の少なくとも片面あるいは内面に前記ブラシ片の硬度よりも大の硬度を有する芯材が形成されてあることを特徴とする洗車機用洗浄ブラシのブラシ片。
【請求項６】
請求項１から５のいずれか１項に記載の洗車機用洗浄ブラシのブラシ片を配した洗車機用洗浄ブラシ。
【請求項７】
駆動源と、被洗浄面に散布する洗浄剤及び水を噴出させるノズルと、洗浄後の被洗浄面を乾燥させる乾燥手段を備えると共に、請求項６記載の洗車機用洗浄ブラシを搭載した洗車機。
【発明の詳細な説明】
【技術分野】
【０００１】  本発明は、自動車あるいは車両の外面の被洗浄面に付着した汚れ等を洗浄する為の洗車機に使用する洗浄ブラシのブラシ片、及びそれを用いた洗車機用洗浄ブラシ、及びその洗車機用洗浄ブラシを搭載した洗車機に関するものである。
【背景技術】
【０００２】  自動車あるいは車両の外面の被洗浄面に付着した汚れ等を洗浄する為の洗車機に使用する洗浄ブラシのブラシ片に関しては、使用目的に応じて、さまざまな改良がなされ、特に、合成樹脂発泡体のブラシ片に関して、無数の独立気泡を有する合成樹脂発泡体よりなるブロックをスライスして形成した複数のシート状洗浄体の基端部が回転体の外周にその回転軸線に略沿うようにそれぞれ取付けられていて、その各洗浄体の自由端側が該回転体の略放射方向に延びており、前記各洗浄体の自由端部には、それを複数のスリットにより細分化して、互いに平行に並ぶ横断面方形状の複数のブラシ毛が形成されており、その各ブラシ毛の、前記ブロックのスライス面で形成される平坦な側面が、該各ブラシ毛の先端側から見て前記回転体の回転軸線に対し傾斜するように、前記各洗浄体基端部の前記回転体に対する取付位置が設定されていることを特徴とする洗車機が、洗車機として、特開２００２−３１６６２２号公報に開示されてある。【０００３】  また、回転軸の外周部に複数のブラシ片が形成されてある自動車用洗浄ブラシにおいて、前記ブラシ片は合成樹脂発泡体より形成されると共に、少なくとも表面に、所定の模様を有する緻密な凹凸形状が形成されてあることを特徴とする自動車用洗浄ブラシが、自動車用洗浄ブラシとして、実用新案登録第３０８７０３７号に開示されてある。【０００４】
【特許文献１】  特開２００２−３１６６２２号公報
【特許文献２】  実用新案登録第３０８７０３７号
【発明の開示】
【発明が解決しようとする課題】
【０００５】  従来の洗車機用洗浄ブラシのブラシ片は、例えば、上記の如くの特徴を有する技術が開示されてあるが、特開２００２−３１６６２２号公報に開示されてある技術においては、洗浄体の自由端側を回転体の略放射方向に延ばし、洗浄体の自由端部を複数のスリットで細分化すると共に、洗浄体を回転体の回転軸線に対し傾斜して形成する事により、洗浄体の車体面への接触音の低減を図っているが、洗浄体を構成する各ブラシ毛は、前記公報の図７に記載されてある如く、平坦な側面が徐々に車体面に当たる構造であるので、接触音の低減は可能であるが、車体面にこびり付いた汚れ等を掻き出すように車体面から剥離させる事は、容易では無かった。【０００６】  また、実用新案登録第３０８７０３７号に開示されてある技術においては、ブラシ片に形成された所定の模様を有する緻密な複数の凸部が、被洗浄面に接触する構造の為、凸部は被洗浄面にたいして面接触していた。その為、凸部は被洗浄面の細かな汚れ等は迅速に除去できるが、被洗浄面に強い付着力にてこびり付いている汚れ等を被洗浄面から除去させる事は、困難であった。【０００７】  本発明は、上記のような課題を解決する為になされたもので、被洗浄面に強い付着力にて汚れ等がこびり付いている場合であっても、汚れ等を迅速に剥離させて除去できると共に、被洗浄面である車体に傷を付けることが無く、高い洗浄性が発揮されると共に、洗浄時の接触音を低減できる洗車機用洗浄ブラシのブラシ片、及びそれを用いた洗車機用洗浄ブラシ、及びその洗車機用洗浄ブラシを搭載した洗車機を提供することを目的としている。
【課題を解決するための手段】
【０００８】  本発明は、上記目的を達成する為に、第１の課題解決手段は、自動車あるいは車両の外面の被洗浄面に付着した汚れ等を洗浄する為の洗車機に使用する洗車機用洗浄ブラシのブラシ片において、前記ブラシ片は合成樹脂発泡体にて平板状にて形成されてあり、前記ブラシ片の少なくとも片面に被洗浄面にたいして斑点状に接触する複数の凸部が形成されてある構成としたものである。【０００９】  また、第２の課題解決手段は、第１の課題解決手段のブラシ片において、前記ブラシ片の少なくとも片面に被洗浄面にたいして筋状に接触する複数の凸部が形成されてある構成としたものである。【００１０】  また、第３の課題解決手段は、第１から第２の課題解決手段のブラシ片において、前記ブラシ片の少なくとも片面に被洗浄面にたいしてリング状に接触する複数の凸部が形成されてある構成としたものである。【００１１】  また、第４の課題解決手段は、第１から第３の課題解決手段のブラシ片において、前記ブラシ片の少なくとも片面に被洗浄面にたいして概波状に接触する複数の凸部が形成されてある構成としたものである。【００１２】  また、第５の課題解決手段は、第１から第４の課題解決手段のブラシ片において、前記ブラシ片の少なくとも片面あるいは内面に前記ブラシ片の硬度よりも大の硬度を有する芯材が形成されてある構成としたものである。【００１３】  また、第６の課題解決手段は、第１から第５の課題解決手段のいずれか１項に記載の洗車機用洗浄ブラシのブラシ片を配した洗車機用洗浄ブラシとしたものである。【００１４】  また、第７の課題解決手段は、駆動源と、被洗浄面に散布する洗浄剤及び水を噴出させるノズルと、洗浄後の被洗浄面を乾燥させる乾燥手段を備えると共に、第６の課題解決手段に記載の洗車機用洗浄ブラシを搭載した洗車機としたものである。
【発明の効果】
【００１５】  本発明の洗車機用洗浄ブラシのブラシ片は、少なくとも片面に被洗浄面にたいして斑点状に接触する複数の凸部が形成されてある為、被洗浄面に汚れ等が強い付着力にてこびり付いている場合であっても、複数の凸部が斑点状に接触する事により、接触する点にブラシ片の押付力が集中する。その為、被洗浄面に強い付着力にてこびり付いている汚れ等を、被洗浄面から掻き出すようにして剥離して除去する事ができる。【００１６】  また、ブラシ片は合成樹脂発泡体にて形成されてある為、ブラシ片が汚れ等を被洗浄面から剥離させて除去する時に、被洗浄面に傷を付ける事を防止できる。また、合成樹脂発泡体にて形成されてあるブラシ片の複数の凸部は、接触時に斑点状に接触の後、徐々に接触面積を大きくできる為、接触時の接触音を極力、抑制できる。その為、ブラシ片は、高い洗浄性、及び高い静音性を発揮できる。【００１７】  また、洗車機用洗浄ブラシ、及びその洗車機用洗浄ブラシを搭載した洗車機は、前記ブラシ片を有している為、高い洗浄性、及び高い静音性を発揮できる。
【発明を実施するための最良の形態】
【００１８】  第１の発明は、ブラシ片が合成樹脂発泡体にて平板状にて形成されてあり、前記ブラシ片の少なくとも片面に被洗浄面にたいして斑点状に接触する複数の凸部が形成されてある為、複数の凸部が斑点状に接触する事により、接触面にブラシ片の押付力が集中する。その為、被洗浄面に強い付着力にてこびり付いている汚れ等を、被洗浄面から掻き出すようにして剥離して除去する事ができる。また、ブラシ片は合成樹脂発泡体にて形成されてある為、ブラシ片が汚れ等を被洗浄面から剥離させて除去する時に、被洗浄面に傷を付ける事を防止できる。また、合成樹脂発泡体にて形成されてあるブラシ片の複数の凸部は、被洗浄面にたいしてブラシ片を押し付ける強さに応じて、斑点状の接触面の接触面積が変化する。その為、ブラシ片は、洗浄時の接触音を極力、抑制できると共に、高い洗浄性を発揮できる。また、接触して変形したブラシ片の凸部は、弾力性を有している為、接触している間、強い毛腰が被洗浄面に付与されるので、洗浄性の向上が図られる。【００１９】  第２の発明は、ブラシ片が合成樹脂発泡体にて平板状にて形成されてあり、前記ブラシ片の少なくとも片面に被洗浄面にたいして筋状に接触する複数の凸部が形成されてある為、ブラシ片は、筋状に接触する凸部の端部に、ブラシ片の押付力が集中する。その為、ブラシ片は、被洗浄面に強い付着力にてこびり付いている汚れ等を、例えば、樹脂製のヘラを被洗浄面に押し付けて擦り取るが如く、被洗浄面から剥離させて除去する事ができる。また、ブラシ片は合成樹脂発泡体にて形成されてある為、ブラシ片が汚れ等を被洗浄面から剥離させて除去する時に、被洗浄面に傷を付ける事を防止できる。また、合成樹脂発泡体にて形成されてあるブラシ片の複数の凸部は、被洗浄面にたいしてブラシ片を押し付ける強さに応じて、筋状の接触面の接触面積が変化する。その為、ブラシ片は、洗浄時の接触音を極力、抑制できると共に、高い洗浄性を発揮できる。また、接触して変形したブラシ片の凸部は、弾力性を有している為、接触している間、強い毛腰が被洗浄面に付与されるので、洗浄性の向上が図られる。【００２０】  第３の発明は、ブラシ片が合成樹脂発泡体にて平板状にて形成されてあり、前記ブラシ片の少なくとも片面に被洗浄面にたいしてリング状に接触する複数の凸部が形成されてある為、ブラシ片は、複数の凸部が被洗浄面に強い付着力にてこびり付いている汚れ等を、例えば、樹脂製のコップで水分等を掬い取るが如く、被洗浄面上の洗浄水、汚れ等を保持する事ができる。また、保持した洗浄水、汚れ等を、被洗浄面から剥離させて除去する事ができる。また、ブラシ片は合成樹脂発泡体にて形成されてある為、ブラシ片が汚れ等を被洗浄面から剥離させて除去する時に、被洗浄面に傷を付ける事を防止できる。また、合成樹脂発泡体にて形成されてあるブラシ片のリング状に接触する複数の凸部は、被洗浄面にたいしてブラシ片を押し付ける強さに応じて、リング状に接触する接触面積が、変化する。その為、ブラシ片は、洗浄時の接触音を極力、抑制できると共に、高い洗浄性を発揮できる。また、接触して変形したブラシ片の凸部は、弾力性を有している為、接触している間、強い毛腰が被洗浄面に付与されるので、洗浄性の向上が図られる。さらにまた、ブラシ片は、リング状に接触する複数の凸部の内部に水等を一時、溜めることができ、洗車時における保水性を高めることができる。【００２１】  第４の発明は、ブラシ片が合成樹脂発泡体にて平板状にて形成されてあり、前記ブラシ片の少なくとも片面に被洗浄面にたいして概波状に接触する複数の凸部が形成されてある為、ブラシ片は、複数の凸部が被洗浄面に強い付着力にてこびり付いている汚れ等を、例えば、概Ｃ字状の樹脂製のヘラで掻き出すが如く、被洗浄面上の洗浄水、汚れ等を、被洗浄面から剥離させて除去する事ができる。また、ブラシ片は合成樹脂発泡体にて形成されてある為、ブラシ片が汚れ等を被洗浄面から剥離させて除去する時に、被洗浄面に傷を付ける事を防止できる。また、合成樹脂発泡体にて形成されてあるブラシ片の概波状に接触する複数の凸部は、被洗浄面にたいしてブラシ片を押し付ける強さに応じて、概波状に接触する接触面積が変化する。その為、ブラシ片は、洗浄時の接触音を極力、抑制できると共に、高い洗浄性を発揮できる。また、接触して変形したブラシ片の凸部は、弾力性を有している為、接触している間、強い毛腰が被洗浄面に付与されるので、洗浄性の向上が図られる。さらにまた、ブラシ片は、概波状に接触する複数の凸部の奥部に水等を一時、溜めることができ、洗車時における保水性を高めることができる。【００２２】  第５の発明は、第１から第４の発明のブラシ片において、前記ブラシ片の少なくとも片面あるいは内面に前記ブラシ片の硬度よりも大の硬度を有する芯材が形成されてある為、ブラシ片が被洗浄面に接触した時に、芯材はブラシ片を片面から押し付ける事ができる。その為、極めて強い毛腰を被洗浄面に付与できるので、洗浄性の向上が図られる。【００２３】  第６の発明は、第１から第５の発明のいずれか１項に記載の洗車機用洗浄ブラシのブラシ片を配した洗車機用洗浄ブラシである為、ブラシ片の少なくとも片面に、被洗浄面にたいして斑点状、筋状、リング状、あるいは概波状に接触する複数の凸部が形成されてある。その為、ブラシ片は、複数の凸部が被洗浄面に強い付着力にてこびり付いている汚れ等を、迅速、的確、かつ洗浄残し無く、被洗浄面から剥離させて除去する事ができる。また、ブラシ片は合成樹脂発泡体にて形成されてある為、ブラシ片が汚れ等を被洗浄面から剥離させて除去する時に、被洗浄面に傷を付ける事を防止できる。また、ブラシ片の少なくとも片面あるいは内面にブラシ片の硬度よりも大の硬度を有する芯材が形成されてある場合には、芯材はブラシ片を片面から押し付ける事ができる。その為、極めて強い毛腰を被洗浄面に付与できる。その為、被洗浄面である車体にたいする傷付きが無く、且つ高い洗浄性を兼ね備えた洗車機用洗浄ブラシを提供することができる。【００２４】  第７の発明は、駆動源と、被洗浄面に散布する洗浄剤及び水を噴出させるノズルと、洗浄後の被洗浄面を乾燥させる乾燥手段を備えると共に、被洗浄面に傷を付けること無く、高い洗浄性を有すると共に、洗浄時の接触音を、極力、低減、あるいは抑制できる第１から第５の発明のいずれか１項に記載の洗車機用洗浄ブラシのブラシ片を有する第６の発明に記載の洗車���用洗浄ブラシを搭載した洗車機である為、被洗浄面にたいして、傷を付着させること無く、毛腰を強く当接させることができると共に、洗浄時の接触音を、極力、低減、あるいは抑制できる洗車機用洗浄ブラシが使用できる。その為、洗車機は、洗車機用洗浄ブラシを高速回転に設定すると共に、洗浄時間を短時間に設定した場合においても、被洗浄面に傷が付着すること無く、且つ洗浄残りの無い高い洗浄性が付与される。また、洗車機用洗浄ブラシの回転を、低速回転から高速回転等に急変させた場合においても、前記と同様の作用が洗車機に付与される。その為、被洗浄面である車体に傷を付けること無いと共に、洗浄時の接触音を、極力、低減、あるいは抑制できる非常に高い洗浄性が発揮できる洗車機を提供することができる。【００２５】  以下、本発明の実施の形態について図面を参照しながら説明する。なお、この実施の形態により本発明が限定されるものではない。
【実施例１】
【００２６】  図１から図３にて実施例１を示す。図１（Ａ）は、本発明の洗車機用洗浄ブラシのブラシ片を前面側から見た斜視図である。（Ｂ）は、（Ａ）の断面図である。図２は、図１のブラシ片の使用時の断面図である。図３は、図１のブラシ片を使用した洗車機用洗浄ブラシを前面側から見た斜視図である。【００２７】  ブラシ片１は、図１（Ａ）及び（Ｂ）の如く、ブラシ片１は平板状にて形成されてあると共に、合成樹脂発泡体にて形成されてある。また、ブラシ片１の上面には複数の概山形形状を有する凸部２が形成されてあり、凸部２には端部３が形成されてある。また、ブラシ用毛材１の材質は、低密度ポリエチレン樹脂が使用されてある。【００２８】  ブラシ片１は、図３（Ａ）の如く、台座７２の外周の周りに、複数のブラシ片１を形成した洗車機用洗浄ブラシ７０として使用される。洗車機用洗浄ブラシ７０は、ブラシ片１、台座７２、チャンネルブラシ７３、及び止め金具７４より構成されてある。台座７２は、略円筒形状からなり、外周の両端部には止め金具７４が組み付けられて形成されてある。チャンネルブラシ７３は、ブラシ片１を芯線、及び概コの字断面を有する帯状体にて挟み付けて折り込んだ後、台座７２の外周の周りに捩りを加えて螺旋状に形成されてあり、止め金具７４にて固定されてある。【００２９】  また、ブラシ片１は、図３（Ｂ）の如く、台座８２の外周の周りに、複数のブラシ片１を形成した洗車機用洗浄ブラシ８０として使用される。洗車機用洗浄ブラシ８０は、ブラシ片１、台座８２、止め金具８４、溝部８５より構成されてある。台座８２は、略円筒形状からなり、外周には、複数の溝部８５が形成されてある。ブラシ片１は、概中央部にて折り込んで止め金具８４にて固定した後、止め金具８４を溝部８５に勘合挿入する事により固定されてある。【００３０】  なお、洗車機用洗浄ブラシの構造に関しては、特に限定されるものではなく、上記の如くの構造以外にも、使用目的に応じて、適時、設定することができる。【００３１】  次に、図２（Ａ）及び（Ｂ）にてブラシ片１の洗浄時の状態を説明する。車体面等の被洗浄面４には、砂塵６、１６及び膜層汚れ７等の各種の汚れが付着している。洗浄時において、ブラシ片１は（Ａ）の如く、回転方向Ａにて、被洗浄面４に複数の凸部２が当接する事により、複数の接触面５が形成される。砂塵６、１６及び膜層汚れ７等は、複数の凸部２の中間部にて捕捉される。次に、図２（Ｂ）の如く、ブラシ片１が被洗浄面４を押し付ける事により、複数の凸部２の中間部にて捕捉された砂塵６、１６及び膜層汚れ７等は、被洗浄面４上から掻き出されるように剥離する。また、捕捉された砂塵６、１６及び膜層汚れ７等は、複数の凸部２の中間部にて運ばれる為、洗浄残りが発生しない。【００３２】  上記の洗浄時において、ブラシ片１は、被洗浄面４にたいして複数の接触面５が斑点状に接触する。接触面５は、凸部２が押し潰されて形成されてある為、接触面５には、ブラシ片１の押付力が集中する。その為、被洗浄面４に砂塵６、１６及び膜層汚れ７が強い付着力にてこびり付いている場合でも、ブラシ片１は、被洗浄面４から砂塵６、１６及び膜層汚れ７等を、接触面５に集中した押付力にて、掻き出す���うにして剥離して除去する。【００３３】  また、ブラシ片１は、合成樹脂発泡体にて形成されてある。その為、ブラシ片１が砂塵６、１６及び膜層汚れ７等の汚れを被洗浄面４から剥離させて除去する時に、被洗浄面４に傷を付ける事を防止できる。複数の凸部２は、被洗浄面４にたいしてブラシ片１を押付ける強さに応じて、斑点状の接触面５の接触面積が変化する。その為、ブラシ片１は、洗浄時の接触音を極力、抑制できると共に、高い洗浄性を発揮できる。また、接触して変形したブラシ片１の凸部２は、弾力性を有している為、接触している間、強い毛腰が被洗浄面に付与されるので、洗浄性の向上が図られる。【００３４】  実施例１のブラシ用毛材１は、上記の如くの構成となっているが、ブラシ用毛材１の材質については、低密度ポリエチレン樹脂の他にも、発泡体を形成することが可能な材質であるならば、合成樹脂の中からいずれの材質を選定しても、何ら支障は無い。合成樹脂としては、熱可塑性樹脂、各種エラストマー、合成ゴム等を使用できる。好適には、熱可塑性樹脂、あるいはポリオレフィン系樹脂が望ましく、より好適には、ポリエチレン樹脂、ポリプロピレン樹脂が望ましく、さらにより好適には、低密度ポリエチレン樹脂、直鎖状低密度ポリエチレン樹脂、超低密度ポリエチレン樹脂が望ましい。また、エチレン酢酸ビニル樹脂、エチレンメチルアクリレート樹脂、エチレンエチルアクリレート樹脂、エチレンブチルアクリレート樹脂等のポリオレフィン系樹脂を使用することもできる。また、ポリウレタン、各種配合品等の熱可塑性樹脂、ポリオレフィン系熱可塑性エラストマー、ポリ塩化ビニル系熱可塑性エラストマー、ポリウレタン系熱可塑性エラストマー、ポリエステル系熱可塑性エラストマー、スチレン系熱可塑性エラストマー等の熱可塑性エラストマーも、使用することができる。さらにまた、上記に記載の材質は、単独で用いられても併用されても良い。【００３５】  また、ブラシ用毛材１の凸部２の形状についても、上記の概山形形状以外にも、例えば、円錐形状、多角錐形状、概釣鐘形状等、被洗浄面４にたいして斑点状に接触する事が可能な形状であれば、適時、設定できる。また、複数の凸部２の配置形態についても、図１（Ａ）の如くの整列された形態以外にも、所定の位相差を有して配置する形態、不規則に配置された形態等、被洗浄面４にたいして斑点状に接触する事が可能な形状であれば、適時、設定できる。
【実施例２】
【００３６】  図４にて実施例２を示す。図４は、本発明の他の実施の形態の洗車機用洗浄ブラシのブラシ片を前面側から見た斜視図である。【００３７】  他の実施の形態のブラシ片１１は、図４（Ａ）の如く、合成樹脂発泡体にて平板状にて形成されてあると共に、上面に複数の概三角柱形状の凸部１２が、長手方向に並列して形成されてある。また、凸部１２には筋状の端部１３が形成されてある。ブラシ片１１は、実施例１と同要領にて洗車機用洗浄ブラシを製作する事により洗浄に使用される。洗浄時におけるブラシ片１１は、筋状の端部１３が被洗浄面に強い付着力にてこびり付いている汚れ等を、例えば樹脂製のヘラを被洗浄面に押し付けて擦り取るが如く、被洗浄面から剥離させて除去する。【００３８】  また、他の実施の形態のブラシ片２１は、図４（Ｂ）の如く、合成樹脂発泡体にて平板状にて形成されてあると共に、上面に複数の概円筒形状の凸部２２が、形成されてある。また、凸部２２にはリング状の端部２３が形成されてある。洗浄時におけるブラシ片２１は、リング状の端部２３が被洗浄面に強い付着力にてこびり付いている汚れ等を、例えば、樹脂製のコップで水分等を掬い取るが如く、被洗浄面上の洗浄水、汚れ等を保持する事ができる。また、保持した洗浄水、汚れ等を、被洗浄面から剥離させて除去する事ができる。【００３９】  また、他の実施の形態のブラシ片３１は、図４（Ｃ）の如く、合成樹脂発泡体にて平板状にて形成されてあると共に、上面に複数の概柱形状の凸部３２が、形成されてある。また、凸部３２には概波状の端部３３が形成されてある。洗浄時におけるブラシ片３１は、概波状の端部３３が被洗浄面に強い付着力にてこびり付いている汚れ等を、例えば、概Ｃ字状の樹脂製のヘラで掻き出すが如く、被洗浄面上の洗浄水、汚れ等を、被洗浄面から剥離させて除去する事ができる。ブラシ片３１は、凸部３２以外にも、概Ｕ字状の端部４３を有する凸部４２、概弓状の端部５３を有する凸部５２が形成されてある。【００４０】  また、他の実施の形態のブラシ片４１は、図４（Ｄ）の如く、合成樹脂発泡体にて平板状にて形成されてあると共に、上面に図４（Ａ）〜（Ｃ）の凸部１２、２２、３２、４２、５２が形成されてある。洗浄時におけるブラシ片４１は、さまざまな形状の端部が被洗浄面に接触する事により、被洗浄面に強い付着力にてこびり付いているさまざまな汚れ等を、洗浄残りを発生させる事無く、被洗浄面から剥離させて除去する事ができる。
【実施例３】
【００４１】  図５にて実施例３を示す。（Ａ）は、本発明の洗車機用洗浄ブラシのブラシ片を前面側から見た斜視図である。（Ｂ）は、（Ａ）のブラシ片の使用時の断面図である。（Ｃ）は、本発明の他の実施の形態の洗車機用洗浄ブラシのブラシ片を前面側から見た斜視図である。【００４２】  実施例３のブラシ片６１は、図５（Ａ）の如く、前記実施例１にて記載のブラシ片１の片面にブラシ片１の硬度よりも大の硬度を有する芯材９が形成されてある。ブラシ片６１は、洗浄時において、（Ｂ）の如く、ブラシ片６１が被洗浄面４に接触した時に、芯材９がブラシ片１を片面から押し付ける。その為、極めて強い毛腰を被洗浄面４に付与できるので、砂塵６、１６及び膜層汚れ７等は、被洗浄面４上から強力に掻き出されるように剥離する。【００４３】  また、（Ｃ）にて実施例３の他の実施の形態のブラシ片７１を説明する。ブラシ片７１は、（Ｃ）の如く、前記実施例１にて記載の２枚のブラシ片１の間に、ブラシ片１の硬度よりも大の硬度を有する芯材９が挟み込まれて形成されてある。ブラシ片７１は、両面に凸部が形成されてある為、洗浄時において、ブラシ片７１が被洗浄面４に接触する状態がいかなる場合であっても、芯材９がブラシ片１を押し付ける。その為、極めて強い毛腰を被洗浄面４に付与できるので、高い洗浄性を発揮できる。
【実施例４】
【００４４】  図６にて実施例４を示す。図６は、本発明の洗車機用洗浄ブラシのブラシ片を配した洗車機用洗浄ブラシを搭載した洗車機の正面図である。【００４５】  洗車機６７は、図６の如く、本発明の洗車機用洗浄ブラシのブラシ片を配した洗車機用洗浄ブラシ６６が搭載されてあり、前記洗車機用洗浄ブラシ６６は駆動源６８により回転される。ノズル６９からは、被洗浄面にたいして、洗浄剤、及び水が散布され、洗車機用洗浄ブラシ６６により、洗浄され、洗浄後は洗車機６７の乾燥手段である乾燥機９０により被洗浄面が乾燥される。【００４６】  洗車機６７は、被洗浄面に傷を付けること無く、高い洗浄性を有すると共に、洗浄時の接触音を、極力、低減、あるいは抑制できるブラシ片を有する洗車機用洗浄ブラシ６６が搭載されてあるので、被洗浄面にたいして、傷を付着させること無く、毛腰を強く当接させることができると共に、洗浄時の接触音を、極力、低減、あるいは抑制できる洗車機用洗浄ブラシ６６が使用できる。その為、洗車機６７は、洗車機用洗浄ブラシ６６を高速回転に設定すると共に、洗浄時間を短時間に設定した場合においても、被洗浄面に傷が付着すること無く、且つ洗浄残りの無い高い洗浄性が付与される。また、洗車機用洗浄ブラシ６６の回転を、低速回転から高速回転等に急変させた場合においても、前記と同様の作用が洗車機６７に付与される。その為、被洗浄面である車体に傷を付けること無いと共に、洗浄時の接触音を、極力、低減、あるいは抑制できる非常に高い洗浄性が発揮できる洗車機６７を提供することができる。
【産業上の利用可能性】
【００４７】  本発明の洗車機用洗浄ブラシのブラシ片及び洗車機用洗浄ブラシ及び洗車機は主に、自動車あるいは車両の外面の被洗浄面に付着した汚れ等を洗浄する為の洗車機、及び洗車機に搭載されてある洗車機用洗浄ブラシ、及び洗車機用洗浄ブラシのブラシ片として使用する。
【図面の簡単な説明】
【００４８】
【図１】  （Ａ）、本発明の洗車機用洗浄ブラシのブラシ片を前面側から見た斜視図  （Ｂ）、（Ａ）の断面図
【図２】  図１のブラシ片の使用時の断面図
【図３】  図１のブラシ片を使用した洗車機用洗浄ブラシを前面側から見た斜視図
【図４】  本発明の他の実施の形態の洗車機用洗浄ブラシのブラシ片を前面側から見た斜視図
【図５】  （Ａ）、本発明の洗車機用洗浄ブラシのブラシ片を前面側から見た斜視図  （Ｂ）、（Ａ）のブラシ片の使用時の断面図  （Ｃ）、本発明の他の実施の形態の洗車機用洗浄ブラシのブラシ片を前面側から見た斜視図
【図６】  本発明の洗車機用洗浄ブラシのブラシ片を配した洗車機用洗浄ブラシを搭載した洗車機の正面図
【符号の説明】
【００４９】  １、１１、２１、３１、４１、６１、７１  ブラシ片
２、１２、２２、３２、４２、５２  凸部
３、１３、２３、３３、４３、５３  端部
４  被洗浄面
５、１５、２５  接触面
６、１６  砂塵
７  膜層汚れ
９  芯材
６６、７０、８０  洗車機用洗浄ブラシ
６７  洗車機
６８  駆動源
６９  ノズル
７２、８２  台座
７３  チャンネルブラシ
７４、８４  止め金具
９０  乾燥機
【図１】
2007289600.tif 000003
【図２】
2007289600.tif 000004
【図３】
2007289600.tif 000005
【図４】
2007289600.tif 000006
【図５】
2007289600.tif 000007
【図６】
2007289600.tif 000008